(57)【要約】【課題】電線が延伸方向に垂直な方向に振動したときの一対の圧接刃の開きをより確実に抑制すること。【解決手段】電線が圧接によって接続される金属製の圧接端子１であって、底壁１０と、底壁１０から略垂直に立ち上がっている一対の側壁１１と、一対の側壁１１の間において底壁１０から底壁１０及び側壁１１に対して略垂直に立ち上がっている圧接板１２であって、底壁１０とは逆側から底壁１０に向かって延びている圧入溝１２Ａを挟んで一対の圧接刃１２Ｂが形成されている圧接板１２と、各圧接刃１２Ｂから側壁１１側に張り出しており、一対の圧接刃１２Ｂが開くと側壁１１の底壁１０とは逆側の端面（支持溝１１Ａの底面）に当接する張出部１２Ｃと、を備える。【選択図】図１
2016178062.tif 000002
【特許請求の範囲】
【請求項１】
電線が圧接によって接続される金属製の圧接端子であって、
底壁と、
前記底壁から略垂直に立ち上がっている一対の側壁と、
前記一対の側壁の間において前記底壁から前記底壁及び前記側壁に対して略垂直に立ち上がっている圧接板であって、前記底壁とは逆側から前記底壁に向かって延びている圧入溝を挟んで一対の圧接刃が形成されている圧接板と、
各前記圧接刃から前記側壁側に張り出しており、前記一対の圧接刃が開くと前記側壁の前記底壁とは逆側の端面に当接する張出部と、
を備える、圧接端子。
【請求項２】
請求項１に記載の圧接端子であって、
前記側壁には前記底壁とは逆側から前記底壁に向かって延びる支持溝が形成されており、
前記張出部は前記支持溝に入り込んでおり、前記一対の圧接刃が前記圧接板の板面に垂直な方向に倒れると前記支持溝の側面に当接する、圧接端子。
【請求項３】
電線が圧接によって接続される金属製の圧接端子であって、
底壁と、
前記底壁から略垂直に立ち上がっている一対の側壁であって、前記底壁とは逆側から前記底壁に向かって延びている支持溝が形成されている側壁と、
前記一対の側壁の間において前記底壁から前記底壁及び前記側壁に対して略垂直に立ち上がっている板状の圧接板であって、前記底壁とは逆側から前記底壁に向かって延びている圧入溝を挟んで一対の圧接刃が形成されている圧接板と、
各前記圧接刃から前記側壁側に張り出して前記支持溝に入り込んでおり、前記一対の圧接刃が前記圧接板の板面に垂直な方向に倒れると前記支持溝の側面に当接する張出部と、
を備える、圧接端子。
【発明の詳細な説明】
【技術分野】
【０００１】
圧入溝を挟んで一対の圧接刃が形成されている板状の圧接板を備える圧接端子に関する。
【背景技術】
【０００２】
従来、電線が圧接によって接続される金属製の圧接端子が知られている（例えば、特許文献１参照）。特許文献１に記載の圧接端子は、電線の導体と圧接されるスリット状の圧接刃を有する圧接板と二つの側壁とを有している。そして、特許文献１に記載の圧接端子は、圧接板の一方の側を一方の側壁と一体化するとともに、圧接板の他方の側を他方の側壁の壁面に当接させることにより、スリット状の圧接刃に電線を圧入するときの圧接刃の開きを側壁によって抑制している。
【先行技術文献】
【特許文献】
【０００３】
【特許文献１】特開２００５−９３２６８号公報
【発明の概要】
【発明が解決しようとする課題】
【０００４】
ところで、圧接端子に圧接されている電線は当該電線が接続されている機器が振動することによって電線の延伸方向に垂直な方向に振動することがある。電線が延伸方向に垂直な方向に振動すると、その振動が一対の圧接刃を開く方向の力として作用する。
【０００５】
前述した特許文献１に記載の圧接端子によると、電線を圧入するときの圧接刃の開きは抑制できたとしても、電線が振動して一対の圧接刃を開く方向の力が繰り返し作用した場合には、側壁が圧接刃を支えきれずに倒れてしまい、それにより圧接刃が開いてしまう虞がある。
【０００６】
また、電線は当該電線の延伸方向に振動する場合もある。電線が延伸方向に振動すると一対の圧接刃が電線の延伸方向に倒れてしまう虞がある。特許文献１に記載の圧接端子はこのような圧接刃の倒れを抑制することについて改善の余地がある。
【０００７】
本明細書では、電線が延伸方向に垂直な方向に振動したときの一対の圧接刃の開きをより確実に抑制する技術を開示する。
【０００８】
また、本明細書では、電線が延伸方向に振動したときの一対の圧接刃の倒れをより確実に抑制する技術を開示する。
【課題を解決するための手段】
【０００９】
本明細書で開示する圧接端子は、電線が圧接によって接続される金属製の圧接端子であって、底壁と、前記底壁から略垂直に立ち上がっている一対の側壁と、前記一対の側壁の間において前記底壁から前記底壁及び前記側壁に対して略垂直に立ち上がっている圧接板であって、前記底壁とは逆側から前記底壁に向かって延びている圧入溝を挟んで一対の圧接刃が形成されている圧接板と、各前記圧接刃から前記側壁側に張り出しており、前記一対の圧接刃が開くと前記側壁の前記底壁とは逆側の端面に当接する張出部と、を備える。
【００１０】
上記の圧接端子によると、電線が延伸方向に垂直な方向に振動して一対の圧接刃が開くと張出部が側壁の底壁とは逆側の端面に当接するので、それ以上の圧接刃の開きが抑制される。
ところで、側壁を壁面に垂直な方向に押して側壁を倒すように変形させる場合と、側壁の底壁とは逆側の端面を底壁側に押して側壁を押し潰すように変形させる場合とを比較すると、押し潰すように変形させる場合の方が大きな力が必要となる。
従来のように圧接刃を側壁に一体化したり圧接刃を側壁の壁面に当接させたりする場合は、一対の圧接刃を開く方向の力が側壁を壁面に垂直な方向に押す力として作用する。これに対し、上記の圧接端子では張出部が側壁の底壁とは逆側の端面に当接するので、一対の圧接刃を開く方向の力が側壁の底壁とは逆側の端面を底壁側に押す力として作用する。このため従来に比べて側壁が変形し難くなり、電線が延伸方向に垂直な方向に振動したときの一対の圧接刃の開きをより確実に抑制できる。
【００１１】
また、前記側壁には前記底壁とは逆側から前記底壁に向かって延びる支持溝が形成されており、前記張出部は前記支持溝に入り込んでおり、前記一対の圧接刃が前記圧接板の板面に垂直な方向に倒れると前記支持溝の側面に当接する。
【００１２】
従来のように圧接板の一方の側が一方の側壁と一体化し、圧接板の他方の側が他方の側壁の壁面に当接している場合は、電線がその延伸方向に振動したとき、圧接板において側壁と一体化している側は側壁によって倒れが抑制されるものの、側壁の壁面に当接している側は支えるものが無いため電線の延伸方向に倒れてしまう虞がある。
これに対し、上記の圧接端子によると、各圧接刃から張り出している張出部がそれぞれ支持溝に入り込んでいるので、一対の圧接刃は両方とも倒れが抑制される。このため上記の圧接端子によると、従来のように片側の圧接刃だけ倒れを抑制する場合に比べ、電線が延伸方向に振動したときの一対の圧接刃の倒れをより確実に抑制できる。
【００１３】
また、本明細書で開示する圧接端子は、電線が圧接によって接続される金属製の圧接端子であって、底壁と、前記底壁から略垂直に立ち上がっている一対の側壁であって、前記底壁とは逆側から前記底壁に向かって延びている支持溝が形成されている側壁と、前記一対の側壁の間において前記底壁から前記底壁及び前記側壁に対して略垂直に立ち上がっている板状の圧接板であって、前記底壁とは逆側から前記底壁に向かって延びている圧入溝を挟んで一対の圧接刃が形成されている圧接板と、各前記圧接刃から前記側壁側に張り出して前記支持溝に入り込んでおり、前記一対の圧接刃が前記圧接板の板面に垂直な方向に倒れると前記支持溝の側面に当接する張出部と、を備える。
【００１４】
上記の圧接端子によると、従来のように片側の圧接刃だけ倒れを抑制する場合に比べ、電線が延伸方向に振動したときの一対の圧接刃の倒れをより確実に抑制できる。
【発明の効果】
【００１５】
本明細書で開示する圧接端子によれば、電線が延伸方向に垂直な方向に振動したときの一対の圧接刃の開きをより確実に抑制できる。
【００１６】
また、本明細書で開示する圧接端子によれば、電線が延伸方向に振動したときの一対の圧接刃の倒れをより確実に抑制できる。
【図面の簡単な説明】
【００１７】
【図１】実施形態に係る圧接端子の斜視図
【図２】圧接端子として成形される前の金属板の平面図
【図３】圧接端子の図４に示すＡ−Ａ線の断面図
【図４】圧接端子を右側から見た側面図
【発明を実施するための形態】
【００１８】
＜実施形態＞
実施形態を図１ないし図４に基づいて説明する。以降の説明において上下方向、左右方向、及び、前後方向は図１に示す上下方向、左右方向、及び、前後方向を基準とする。
【００１９】
（１）圧接端子の構成
図１に示すように、本実施形態に係る圧接端子１は底壁１０、底壁１０から略垂直に立ち上がる互いに平行な一対の側壁１１、一対の側壁１１の間において底壁１０から底壁１０及び一対の側壁１１に対して略垂直に立ち上がる圧接板１２を備えている。
【００２０】
圧接端子１は、図２に示すように圧接端子１に応じた形状に打ち抜かれた金属板２０を曲げ加工することによって形成されたものである。具体的には、金属板２０には圧接板１２が基端側を残して切り抜き形成されており、圧接板１２が折り曲げ線２１に沿って上に９０度曲げられ、その後に二つの折り曲げ線２２，２３に沿って左右両側の側壁１１が上に９０度曲げられることによって圧接端子１が形成されている。
【００２１】
図１に示すように、圧接板１２には底壁１０とは逆側（図１では上側）から底壁１０に向かって延びる溝１２Ａ（以下、圧入溝１２Ａという）が形成されており、圧入溝１２Ａを挟んで一対の圧接刃１２Ｂが形成されている。図示しない電線が圧入溝１２Ａに圧入されると当該電線の絶縁被覆が一対の圧接刃１２Ｂによって剥がされ、電線の内側の導体が圧接刃１２Ｂに圧接する。これにより電線が圧接端子１に電気的に導通可能に接続される。
【００２２】
図１に示すように、一対の圧接刃１２Ｂには側壁１１側（図１では左右両側）に矩形状に張り出す張出部１２Ｃが形成されている。左右の側壁１１にはそれぞれ圧接板１２に対応する位置に底壁１０とは逆側（図１では上側）から底壁１０に向かって延びる溝１１Ａ（以下、支持溝１１Ａという）が形成されており、張出部１２Ｃは支持溝１１Ａに入り込んでいる。
【００２３】
図３に示すように、本実施形態では張出部１２Ｃの底壁１０側の端面（張出部１２Ｃの下面）は圧入溝１２Ａの底面より上に位置している。
また、張出部１２Ｃの下面は支持溝１１Ａの底面よりも上に位置している。このため本実施形態では張出部１２Ｃの下面と支持溝１１Ａの底面との間に僅かに隙間がある。支持溝１１Ａの底面は「側壁の底壁とは逆側の端面」の一例である。
【００２４】
また、張出部１２Ｃは左右方向の幅が側壁１１の板厚より大きく形成されている。このため本実施形態では張出部１２Ｃが側壁１１より外まで張り出している。なお、張出部１２Ｃは必ずしも側壁１１よりも外まで張り出していなくてもよい。
【００２５】
また、図４に示すように、支持溝１１Ａの溝幅（図４において前後方向の幅）は張出部１２Ｃの板厚より大きく形成されている。このため本実施形態では支持溝１１Ａの側面（支持溝１１Ａの前後の内面）と張出部１２Ｃの前後の面との間に僅かに隙間がある。
【００２６】
（２）圧接端子の作用
先ず、図３を参照して、電線が延伸方向に垂直な方向に振動して電線から圧接板１２に一対の圧接刃１２Ｂを開く方向の力（図３において紙面に平行な方向の力、ただし上下方向の力は除く）が作用した場合の圧接端子１の作用について説明する。
【００２７】
前述したように張出部１２Ｃの下面と支持溝１１Ａの底面との間には僅かに隙間があるので、電線から圧接板１２に一対の圧接刃１２Ｂを開く方向の力が作用すると一対の圧接刃１２Ｂが僅かに開き、張出部１２Ｃの下面が支持溝１１Ａの底面に当接する。張出部１２Ｃの下面が支持溝１１Ａの底面に当接すると側壁１１によって張出部１２Ｃが支持され、一対の圧接刃１２Ｂはそれ以上の開きが抑制される。
【００２８】
次に、図４を参照して、電線が延伸方向に振動して電線から圧接板１２に圧接板１２の板面に垂直な方向の力（図４において前後方向の力）が作用したときの圧接端子１の作用について説明する。
【００２９】
前述したように支持溝１１Ａの側面と張出部１２Ｃの前後の面との間には僅かに隙間があるので、圧接板１２に垂直な方向の力が作用すると一対の圧接刃１２Ｂが僅かに倒れ、張出部１２Ｃが支持溝１１Ａの側面（支持溝１１Ａの前側の面、又は、後側の面）に当接する。張出部１２Ｃが支持溝１１Ａの側面に当接すると、側壁１１によって張出部１２Ｃが支持され、一対の圧接刃１２Ｂはそれ以上の倒れが抑制される。
【００３０】
（３）実施形態の効果
以上説明した圧接端子１によると、電線が延伸方向に垂直な方向に振動して一対の圧接刃１２Ｂが開くと張出部１２Ｃが支持溝１１Ａの底面（側壁１１の底壁１０とは逆側の端面）に当接するので、それ以上の圧接刃１２Ｂの開きが抑制される。
ところで、側壁１１を壁面に垂直な方向に押して側壁１１を倒すように変形させる場合と、支持溝１１Ａの底面を底壁１０側に押して側壁１１を押し潰すように変形させる場合とを比較すると、押し潰すように変形させる場合の方が大きな力が必要となる。
従来のように圧接刃を側壁に一体化したり圧接刃を側壁の壁面に当接させたりする場合は、一対の圧接刃を開く方向の力が側壁を壁面に垂直な方向に押す力として作用する。これに対し、圧接端子１では張出部１２Ｃが支持溝１１Ａの底面に当接するので、一対の圧接刃１２Ｂを開く方向の力が支持溝１１Ａの底面を底壁１０側に押す力として作用する。このため従来に比べて側壁１１が変形し難くなり、電線が延伸方向に垂直な方向に振動したときの一対の圧接刃１２Ｂの開きをより確実に抑制できる。
【００３１】
また、従来のように圧接板の一方の側が一方の側壁と一体化し、圧接板の他方の側が他方の側壁の壁面に当接している場合は、電線がその延伸方向に振動したとき、圧接板において側壁と一体化している側は側壁によって倒れが抑制されるものの、側壁の壁面に当接している側は支えるものが無いため電線の延伸方向に倒れてしまう虞がある。
これに対し、圧接端子１によると、各圧接刃１２Ｂから張り出している張出部１２Ｃがそれぞれ支持溝１１Ａに入り込んでいるので、一対の圧接刃１２Ｂは両方とも倒れが抑制される。このため圧接端子１によると、従来のように片側の圧接刃だけ倒れを抑制する場合に比べ、電線が延伸方向に振動したときの一対の圧接刃１２Ｂの倒れをより確実に抑制できる。
【００３２】
また、圧接端子１によると、電線がその延伸方向に振動して一対の圧接刃１２Ｂに圧接板１２の板面に垂直な方向の力が作用したとき、その力は圧接板１２の基端部と張出部１２Ｃとに分散されるので、圧接板１２の基端部に応力が集中してしまうことも抑制できる。
【００３３】
＜他の実施形態＞
本明細書によって開示される技術は上記記述及び図面によって説明した実施形態に限定されるものではなく、例えば次のような実施形態も本明細書によって開示される技術的範囲に含まれる。
【００３４】
（１）上記実施形態では電線が延伸方向に振動して一対の圧接刃１２Ｂが倒れると張出部１２Ｃが支持溝１１Ａの側面に当接して倒れを抑制する場合を例に説明した。
これに対し、一対の圧接刃１２Ｂが倒れても張出部１２Ｃが支持溝１１Ａの側面に当接しない構成であってもよい。例えば、側壁１１の高さを上記実施形態における支持溝１１Ａの底面の高さまでにすることによって支持溝１１Ａを形成しないようにすると、一対の圧接刃１２Ｂが倒れても張出部１２Ｃが支持溝１１Ａの側面に当接しない。この場合は圧接刃１２Ｂの倒れをより確実に抑制する効果は低下するが、張出部１２Ｃの下面が側壁１１の端面に当接することにより、一対の圧接刃１２Ｂの開きをより確実に抑制することはできる。
【００３５】
（２）上記実施形態では電線が延伸方向に垂直な方向に振動して一対の圧接刃１２Ｂが開くと張出部１２Ｃが支持溝１１Ａの底面（側壁１１の底壁１０とは逆側の端面）に当接して一対の圧接刃１２Ｂの開きを抑制する場合を例に説明した。
これに対し、一対の圧接刃１２Ｂが開いても張出部１２Ｃが支持溝１１Ａの底面に当接しない構成であってもよい。例えば、上記実施形態よりも支持溝１１Ａを深くすると、一対の圧接刃１２Ｂが開いても張出部１２Ｃが支持溝１１Ａの底面に当接しない。この場合は圧接刃１２Ｂの開きをより確実に抑制する効果は低下するが、張出部１２Ｃが支持溝１１Ａの側面に当接することにより、一対の圧接板１２の倒れをより確実に抑制することはできる。
【００３６】
（３）上記実施形態では張出部１２Ｃの下面と支持溝１１Ａの底面との間に僅かに隙間がある場合を例に説明した。また、上記実施形態では支持溝１１Ａの側面（支持溝１１Ａの前後の内面）と張出部１２Ｃの前後の面との間に僅かな隙間がある場合を例に説明した。
しかしながら、これらの隙間はなくてもよい。すなわち、張出部１２Ｃの下面は支持溝１１Ａの底面に常に当接しており、支持溝１１Ａの側面（支持溝１１Ａの前後の内面）は張出部１２Ｃの前後の面に常に当接していてもよい。
【００３７】
（４）上記実施形態では一つの圧接板が一枚の板によって構成されている場合を例に説明したが、一つの圧接板が複数の板によって構成されてもよい。例えば、図２に示す状態の圧接板１２の後側にもう一つの圧接板１２を線対称に繋げた形状（圧接板１２の後側に前後を逆にした別の圧接板を繋げた形状）に切り抜き、二つの圧接板１２の境界で１８０度折り曲げることによって二枚の板から一つの圧接板を構成してもよい。
【符号の説明】
【００３８】
１・・・圧接端子、１０・・・底壁、１１・・・側壁、１１Ａ・・・支持溝、１２・・・圧接板、１２Ａ・・・圧入溝、１２Ｂ・・・圧接刃、１２Ｃ・・・張出部
【図１】
2016178062.tif 000003
【図２】
2016178062.tif 000004
【図３】
2016178062.tif 000005
【図４】
2016178062.tif 000006